(57)【要約】【課題】本発明は、一対のガイド板の間隔をロール紙の幅に応じて簡単に設定することができるロール紙支持装置を提供することを課題とする。【解決手段】シャフト部６に案内されて移動可能に設けられ、支持部３に支持されるロール紙１の側面をガイドする左側ガイド部４および右側ガイド部５と、左側ガイド部４と右側ガイド部５とが互いに近づく方向に付勢するコイルバネ６１およびコイルバネ６２と、左側ガイド部４と右側ガイド部５とを最大幅のロール紙１以上の間隔に設定した状態で、左側ガイド部４および右側ガイド部５の移動を規制するガイド規制部８と設けることにより、ガイド規制部８によって左側ガイド部４と右側ガイド部５とを最大幅のロール紙１以下の間隔に設定した状態で保持させ、ロール紙１の支持部３への装填を行う際に、ガイド規制部８による左側ガイド部４および右側ガイド部５の移動の規制を解除する。【選択図】        図１
2008222364.tif 000002
【特許請求の範囲】
【請求項１】
支持手段にロール紙を支持するロール紙支持装置であって、
前記支持手段に支持される前記ロール紙の軸方向に、左サイドフレームと右サイドフレーム間に架け渡されたシャフト手段と、
該シャフト手段に案内されて移動可能に設けられ、前記支持手段に支持される前記ロール紙の側面をガイドする左側ガイド手段および右側ガイド手段と、
前記左側ガイド手段と前記右側ガイド手段とが互いに近づく方向に付勢する付勢手段と、
前記左側ガイド手段と前記右側ガイド手段とを所定の間隔に設定した状態で、前記付勢手段からの付勢力による前記左側ガイド手段および前記右側ガイド手段の移動を規制するガイド規制手段とを具備することを特徴とするロール紙支持装置。
【請求項２】
前記付勢手段は、前記左側ガイド手段と前記右側ガイド手段とを同一の付勢力でそれぞれ付勢することを特徴とする請求項１記載のロール紙支持装置。
【請求項３】
前記ガイド規制手段による前記左側ガイド手段および前記右側ガイド手段の移動に対する規制は、前記ロール紙を前記支持手段に装填することで解除されることを特徴とする請求項１又は２記載のロール紙支持装置。
【請求項４】
前記ガイド規制手段は、前記左側ガイド手段および前記右側ガイド手段の移動方向に対して平行に配設され、外力が加わらない状態では一部分が前記左側ガイド手段および前記右側ガイド手段の移動経路に進入し、外力を加えて撓ませた状態では前記左側ガイド手段および前記右側ガイド手段の移動経路から退出可能な板バネであることを特徴とする請求項１乃至３のいずれかに記載のロール紙支持装置。
【発明の詳細な説明】
【技術分野】
【０００１】
プリンタやファクシミリ等に用いられるロール状に巻回された記録紙やロール状に巻回された帯状台紙上に仮着されているラベルやシールといったロール紙を支持するロール紙支持装置に関し、特にガイド板を用いて支持したロール紙の軸方向の位置決めを行うロール紙支持装置に関する。
【背景技術】
【０００２】
ロール状に巻回された記録紙やロール状に巻回された帯状台紙上に仮着されているラベルやシールといったロール紙に印字を行うプリンタやファクシミリにおいては、支持したロール紙の軸方向の位置決めを行う必要がある。ロール紙の軸方向の位置決めは、一般的に支持したロール紙の側面をガイドするガイド板によって行われ、センタ振り分け構造のプリンタやファクシミリでは、一対のガイド板をラック・ピニオン構造によって連動させて支持するロール紙の軸方向に摺動させ、一対のガイド板の間隔をロール紙の幅に応じて調整するように構成され、ロール紙の幅に応じて調整した一対のガイド板の間隔を維持するためにガイド板を固定するロック機構が設けられている（例えば、特許文献１参照）。
【０００３】
しかしながら、従来技術では、ロール紙の幅に応じて調整した一対のガイド板の間隔を維持するために、ガイド板を固定するロック機構という複雑な機構を設けなければならないと共に、異なる幅のロール紙を装着する場合には、ロック機構を解除して再調整作業行う必要があり、ロール紙の装填作業が繁雑になってしまうという問題点があった。
【０００４】
【特許文献１】特開平１０−１８１１３０号公報
【発明の開示】
【発明が解決しようとする課題】
【０００５】
本発明は斯かる問題点に鑑みてなされたものであり、その目的とするところは、一対のガイド板の間隔をロール紙の幅に応じて簡単に設定することができるロール紙支持装置を提供する点にある。
【課題を解決するための手段】
【０００６】
本発明は上記課題を解決すべく、以下に掲げる構成とした。
請求項１記載の発明の要旨は、支持手段にロール紙を支持するロール紙支持装置であって、前記支持手段に支持される前記ロール紙の軸方向に、左サイドフレームと右サイドフレーム間に架け渡されたシャフト手段と、該シャフト手段に案内されて移動可能に設けられ、前記支持手段に支持される前記ロール紙の側面をガイドする左側ガイド手段および右側ガイド手段と、前記左側ガイド手段と前記右側ガイド手段とが互いに近づく方向に付勢する付勢手段と、前記左側ガイド手段と前記右側ガイド手段とを所定の間隔に設定した状態で、前記付勢手段からの付勢力による前記左側ガイド手段および前記右側ガイド手段の移動を規制するガイド規制手段とを具備することを特徴とするロール紙支持装置に存する。
また請求項２記載の発明の要旨は、前記付勢手段は、前記左側ガイド手段と前記右側ガイド手段とを同一の付勢力でそれぞれ付勢することを特徴とする請求項１記載のロール紙支持装置に存する。
また請求項３記載の発明の要旨は、前記ガイド規制手段による前記左側ガイド手段および前記右側ガイド手段の移動に対する規制は、前記ロール紙を前記支持手段に装填することで解除されることを特徴とする請求項１又は２記載のロール紙支持装置に存する。
また請求項４記載の発明の要旨は、前記ガイド規制手段は、前記左側ガイド手段および前記右側ガイド手段の移動方向に対して平行に配設され、外力が加わらない状態では一部分が前記左側ガイド手段および前記右側ガイド手段の移動経路に進入し、外力を加えて撓ませた状態では前記左側ガイド手段および前記右側ガイド手段の移動経路から退出可能な板バネであることを特徴とする請求項１乃至３のいずれかに記載のロール紙支持装置に存する。
【発明の効果】
【０００７】
本発明のロール紙支持装置は、支持手段に支持されるロール紙の軸方向に、左サイドフレームと右サイドフレーム間に架け渡されたシャフト手段と、シャフト手段に案内されて移動可能に設けられ、支持手段に支持されるロール紙の側面をガイドする左側ガイド手段および右側ガイド手段と、左側ガイド手段と右側ガイド手段とが互いに近づく方向に付勢する付勢手段と、左側ガイド手段と右側ガイド手段とを所定の間隔に設定した状態で、付勢手段からの付勢力による左側ガイド手段および右側ガイド手段の移動を規制するガイド規制手段と設けることにより、ガイド規制手段によって左側ガイド手段と右側ガイド手段とを所定の間隔に設定した状態で保持させ、ロール紙の支持手段への装填を行う際に、ガイド規制手段による左側ガイド手段および右側ガイド手段の移動の規制を解除することにより、付勢手段によって左側ガイド手段および右側ガイド手段が装填されたロール紙の幅に対応する位置に移動し、装填されたロール紙がガイドされるため、一対のガイド板の間隔をロール紙の幅に応じて簡単に設定することができ、ロール紙の装填時の作業効率を改善することができるという効果を奏する。
【０００８】
さらに、本発明のロール紙支持装置は、付勢手段による左側ガイド手段および右側ガイド手段に対する付勢力を同一にすることにより、支持手段に装填されたロール紙を左側ガイド手段および右側ガイド手段によってセンタ位置に位置決めすることができるという効果を奏する。
【０００９】
さらに、本発明のロール紙支持装置は、ロール紙を支持手段に装填することで、ガイド規制手段による左側ガイド手段および右側ガイド手段の移動に対する規制が解除されるように構成することにより、支持手段にロール紙を装填するだけで、付勢手段によって左側ガイド手段および右側ガイド手段を装填されたロール紙の幅に対応する位置に移動させることができ、ロール紙の装填時の作業効率を改善することができるという効果を奏する。
【００１０】
さらに、本発明のロール紙支持装置は、ガイド規制手段を、左側ガイド手段および右側ガイド手段の移動方向に対して平行に配設され、外力が加わらない状態では一部分が左側ガイド手段および右側ガイド手段の移動経路に進入し、外力を加えて撓ませた状態では左側ガイド手段および右側ガイド手段の移動経路から退出可能な板バネで構成することにより、複雑な機構を設けることなく、一対のガイド板の間隔をロール紙の幅に応じて簡単に設定することができ、ロール紙の装填時の作業効率を改善することができるという効果を奏する。
【発明を実施するための最良の形態】
【００１１】
以下、本発明の実施の形態を図面に基づいて詳細に説明する。
【００１２】
図１は、本発明に係るロール紙支持装置の実施の形態の構成を示す斜視図であり、図２は、図１に示すガイド部の構成を示す斜視図であり、図３は、本発明に係るロール紙支持装置の実施の形態においてガイド部の間隔を最小幅のロール紙に対応できる間隔にした状態を示す図であり、（ａ）は、斜視図であり、（ｂ）は、平面図である。図４は、本発明に係るロール紙支持装置の実施の形態においてガイド部の間隔を最大幅のロール紙に対応できる間隔にした状態を示す図であり、（ａ）は、斜視図であり、（ｂ）は、平面図である。
【００１３】
本実施の形態は、図１を参照すると、ロール状に巻回された記録紙やロール状に巻回された帯状台紙上に仮着されているラベルやシールといったロール紙１に印字を行うセンタ振り分け構造のプリンタやファクシミリに用いられ、サーマルヘッド２１およびプラテンローラ２２からなる印字部２に供給されるロール紙１を、印字部２による印字範囲のセンタ位置に支持する装置であり、ロール紙１を支持する支持部３と、ロール紙１の軸方向に移動してロール紙１の側面をガイドすることで位置決めを行う左側ガイド部４および右側ガイド部５と、支持部３に支持されるロール紙１の軸方向に配置されているシャフト部６およびシャフト部７と、左側ガイド部４および右側ガイド部５の移動経路（以下、ガイド移動経路と称す）に進入して左側ガイド部４および右側ガイド部５の移動を規制するガイド規制部８とを備えている。
【００１４】
支持部３は、図１を参照すると、ロール紙１支持する支持面を有すると共に、シャフト部６およびシャフト部７が架け渡されている左サイドフレーム３１および右サイドフレーム３２がそれぞれ両側に延出されて形成されている。
【００１５】
左側ガイド部４は、図２を参照すると、支持部３に支持されるロール紙１の左側面に当接して左側の位置決めを行う左側ガイド板４１と、支持部３と共にロール紙１を支持する支持面を有する移動部４２とが一体で形成されている。移動部４２には、シャフト部６およびシャフト部７がそれぞれ貫通される円形の貫通孔４３および貫通孔４４が形成されていると共に、ガイド規制部８に当接してガイド規制部８のガイド移動経路への進入を防止する前面４２ａと、ガイド移動経路に進入したガイド規制部８に当接する内側面４２ｂとが形成されている。
【００１６】
右側ガイド部５は、図２を参照すると、左側ガイド部４と面対称の形状であり、支持部３に支持されるロール紙１の右側面に当接して右側の位置決めを行う右側ガイド板５１と、支持部３と共にロール紙１を支持する支持面を有する移動部５２とが一体で形成されている。移動部５２には、シャフト部６およびシャフト部７がそれぞれ貫通される円形の貫通孔５３および貫通孔５４が形成されていると共に、ガイド規制部８に当接してガイド規制部８のガイド移動経路への進入を防止する前面５２ａと、ガイド移動経路に進入したガイド規制部８に当接する内側面５２ｂとが形成されている。
【００１７】
シャフト部６には、コイルバネ６１およびコイルバネ６２が環装されており、コイルバネ６１は、左サイドフレーム３１と左側ガイド部４との間に介装されていると共に、コイルバネ６２は、右サイドフレーム３２と右側ガイド部５との間に介装され、左側ガイド部４と右側ガイド部５とが互いに近づく方向に付勢している。なお、コイルバネ６１およびコイルバネ６２は、同一の部品が用いられ、コイルバネ６１およびコイルバネ６２によって左側ガイド部４と右側ガイド部５に対してそれぞれ作用する付勢力は、同一になっている。
【００１８】
ガイド規制部８としては、左側ガイド部４および右側ガイド部５の移動方向に対して平行に配設された板バネが用いられ、外力が加わらない状態、すなわち撓んでいない状態では、一部分がガイド移動経路に進入し、外力を加えて撓ませることによって、ガイド移動経路から退出させることができるようになっている。
【００１９】
図３には、本実施の形態のロール紙支持装置において、使用を想定した中で最小幅のロール紙１に対応するように、左側ガイド部４と右側ガイド部５とを最小幅のロール紙１以下の間隔Ａに設定した状態が示されており、コイルバネ６１およびコイルバネ６２の付勢によって左側ガイド部４と右側ガイド部５とが互いに近づく方向に移動され、印字部２の印字範囲のセンタ位置に配設されたストッパ９に当接して位置決めがなされている。この状態では、ガイド規制部８は、撓んでガイド移動経路から退出された状態となっており、左側ガイド部４における移動部４２の前面４２ａと、右側ガイド部５における移動部５２の前面５２ａとにそれぞれ当接している。なお、本実施の形態では、ストッパ９によって左側ガイド部４と右側ガイド部５とを位置決めするように構成したが、ストッパ９を設けることなく、左側ガイド部４の移動部４２と右側ガイド部５の移動部５２とが当接することによって、左側ガイド板４１と右側ガイド板５１とが間隔Ａに設定されるようにしても良い。また、ストッパ９を設けることなく、左側ガイド部４の移動部４２と右側ガイド部５の移動部５２とが当接する前に、コイルバネ６１およびコイルバネ６２のそれぞれ付勢力がなくなるように構成しても良いが、この場合には、間隔Ａまでは、コイルバネ６１およびコイルバネ６２のそれぞれ付勢力が存在するように設定する必要がある。
【００２０】
図４には、本実施の形態のロール紙支持装置において、使用を想定した中で最大幅のロール紙１に対応するように、左側ガイド部４と右側ガイド部５とを最大幅のロール紙１以上の間隔Ｂに設定した状態が示されている。図３に示す左側ガイド部４と右側ガイド部５とを間隔Ａに設定した状態から、左側ガイド部４をコイルバネ６１による付勢力に抗して左サイドフレーム３１側に移動させて、左側ガイド部４が間隔Ｂに対応する位置に到達すると、ガイド規制部８に対して移動部４２の前面４２ａから作用していた外力がなくなり、撓んでガイド移動経路から退出されていたガイド規制部８がガイド移動経路に進入し、ガイド規制部８の側面と移動部４２の内側面４２ｂとが当接することで、左側ガイド部４の移動が規制され、図４に示すように、左側ガイド部４が間隔Ｂに対応する位置に保持される。同様に、右側ガイド部５をコイルバネ６２による付勢力に抗して右サイドフレーム３２側に移動させて、右側ガイド部５が間隔Ｂに対応する位置に到達すると、ガイド規制部８に対して移動部５２の前面５２ａから作用していた外力がなくなり、撓んでガイド移動経路から退出されていたガイド規制部８がガイド移動経路に進入し、ガイド規制部８の側面と移動部５２の内側面５２ｂとが当接することで、右側ガイド部５の移動が規制され、図４に示すように、右側ガイド部５が間隔Ｂに対応する位置に保持される。
【００２１】
図４に示す左側ガイド部４と右側ガイド部５とを間隔Ｂに設定した状態で、ガイド規制部８に手操作等で外力を加えて撓ませ、ガイド移動経路から退出させると、ガイド規制部８の側面と移動部４２の内側面４２ｂとの当接が解消されると共に、ガイド規制部８の側面と移動部５２の内側面５２ｂとの当接が解消されて、ガイド規制部８による左側ガイド部４および右側ガイド部５の移動の規制が解除され、コイルバネ６１およびコイルバネ６２のそれぞれの付勢力によって、左側ガイド部４と右側ガイド部５とが互いに近づく方向にそれぞれ移動され、図３に示す左側ガイド部４と右側ガイド部５とを間隔Ａに設定した状態に移行する。
【００２２】
次に、本実施の形態の動作について図５を参照して詳細に説明する。
図５は、本発明に係るロール紙支持装置の実施の形態におけるロール紙装填動作を説明する説明図である。
【００２３】
本実施の形態では、ロール紙１の装填は、図４に示す左側ガイド部４と右側ガイド部５とを間隔Ｂに設定した状態で簡単に装填することができる。以下、使用を想定したロール紙１の最小幅以上最大幅以下である幅Ｃのロール紙１を装填する場合について説明する。
【００２４】
図４に示す左側ガイド部４と右側ガイド部５とを間隔Ｂに設定した状態で、図５（ａ）に示すように、幅Ｃのロール紙１を装填すると、ロール紙１の周面からの外力によってガイド規制部８が撓み、図５に矢印で示すように、ガイド規制部８がガイド移動経路から退出する。これにより、ガイド規制部８の側面と移動部４２の内側面４２ｂとの当接が解消されると共に、ガイド規制部８の側面と移動部５２の内側面５２ｂとの当接が解消されて、ガイド規制部８による左側ガイド部４および右側ガイド部５の移動の規制が解除され、コイルバネ６１およびコイルバネ６２のそれぞれの付勢力によって、左側ガイド部４と右側ガイド部５とが互いに近づく方向にそれぞれ移動され、図５（ｂ）に示すように、ロール紙１の両側面が左側ガイド部４の左側ガイド板４１および右側ガイド部５の右側ガイド板５１によってそれぞれ位置決めされることになる。なお、左側ガイド部４および右側ガイド部５をそれぞれ付勢するコイルバネ６１およびコイルバネ６２は、同一の付勢力を有する同一の部品で構成されているため、ロール紙１は、センタ位置に位置決めされる。
【００２５】
以上説明したように、本実施の形態によれば、支持部３に支持されるロール紙１の軸方向に、左サイドフレーム３１と右サイドフレーム３２間に架け渡されたシャフト部６と、シャフト部６に案内されて移動可能に設けられ、支持部３に支持されるロール紙１の側面をガイドする左側ガイド部４および右側ガイド部５と、左側ガイド部４と右側ガイド部５とが互いに近づく方向に付勢するコイルバネ６１およびコイルバネ６２と、左側ガイド部４と右側ガイド部５とを間隔Ｂに設定した状態で、左側ガイド部４および右側ガイド部５の移動を規制するガイド規制部８と設けることにより、ガイド規制部８によって左側ガイド部４と右側ガイド部５とを間隔Ｂに設定した状態で保持させ、ロール紙１の装填、すなわちロール紙１を支持部３に支持させる際に、ガイド規制部８による左側ガイド部４および右側ガイド部５の移動の規制を解除することにより、コイルバネ６１およびコイルバネ６２によって左側ガイド部４および右側ガイド部５が装填されたロール紙１の幅に対応する位置に移動し、装填されたロール紙１がガイドされるため、一対のガイド板の間隔をロール紙１の幅に応じて簡単に設定することができ、ロール紙１の装填時の作業効率を改善することができるという効果を奏する。
【００２６】
さらに、本実施の形態によれば、コイルバネ６１およびコイルバネ６２による左側ガイド手段および右側ガイド手段に対するそれぞれの付勢力を同一にすることにより、支持部３に支持されたロール紙１を左側ガイド部４および右側ガイド部５によってセンタ位置に位置決めすることができるという効果を奏する。
【００２７】
さらに、本実施の形態によれば、ロール紙１を、支持部３に支持することで、ガイド規制部８による左側ガイド部４および右側ガイド部５の移動に対する規制が解除されるように構成することにより、支持部３にロール紙１を支持するだけで、コイルバネ６１およびコイルバネ６２によって左側ガイド部４および右側ガイド部５を装填されたロール紙１の幅に対応する位置に移動させることができ、ロール紙１の装填時の作業効率を改善することができるという効果を奏する。
【００２８】
さらに、本実施の形態によれば、ガイド規制部８を、左側ガイド部４および右側ガイド部５の移動方向に対して平行に配設され、外力が加わらない状態では一部分が左側ガイド部４および右側ガイド部５の移動経路に進入し、外力を加えて撓ませた状態では左側ガイド部４および右側ガイド部５の移動経路から退出可能な板バネで構成することにより、複雑な機構を設けることなく、一対のガイド板の間隔をロール紙１の幅に応じて簡単に設定することができ、ロール紙１の装填時の作業効率を改善することができるという効果を奏する。
【００２９】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３０】
【図１】本発明に係るロール紙支持装置の実施の形態の構成を示す斜視図である。
【図２】図１に示すガイド部の構成を示す斜視図である。
【図３】本発明に係るロール紙支持装置の実施の形態においてガイド部の間隔を最小幅のロール紙に対応できる間隔にした状態を示す図であり、（ａ）は、斜視図であり、（ｂ）は、平面図である。
【図４】本発明に係るロール紙支持装置の実施の形態においてガイド部の間隔を最大幅のロール紙に対応できる間隔にした状態を示す図であり、（ａ）は、斜視図であり、（ｂ）は、平面図である。
【図５】本発明に係るロール紙支持装置の実施の形態におけるロール紙装填動作を説明する説明図である。
【符号の説明】
【００３１】
１  ロール紙
２  印字部
３  支持部
４  左側ガイド部
５  右側ガイド部
６、７  シャフト部
８  ガイド規制部
９  ストッパ
２１  サーマルヘッド
２２  プラテンローラ
３１  左サイドフレーム
３２  右サイドフレーム
４１  左側ガイド板
４２  移動部
４２ａ  前面
４２ｂ  内側面
４３、４４  貫通孔
５１  右側ガイド板
５２  移動部
５２ａ  前面
５２ｂ  内側面
５３、５４  貫通孔
６１  コイルバネ
６２  コイルバネ
【図１】
2008222364.tif 000003
【図２】
2008222364.tif 000004
【図３】
2008222364.tif 000005
【図４】
2008222364.tif 000006
【図５】
2008222364.tif 000007